【手続補正書】
【提出日】平成31年3月22日(2019.3.22)
【手続補正１】
【補正対象書類名】特許請求の範囲
【補正対象項目名】全文
【補正方法】変更
【補正の内容】
【特許請求の範囲】
【請求項１】
ハンドオーバのためのリソース構成方法であって、
第１ネットワークノードは、第２ネットワークノードとの間のハンドオーバリソースプール構成情報を確定することと、
前記第１ネットワークノードは、前記ハンドオーバリソースプール構成情報を移動局に送信することと、
前記第１ネットワークノードは、前記移動局に第１指示情報を送信することとを含み、前記第１指示情報が、前記移動局がハンドオーバリソースプール内のハンドオーバリソースを使用して通信を行うことを指示するために用いられる、前記ハンドオーバのためのリソース構成方法。
【請求項２】
前記第１ネットワークノードは、第２ネットワークノードとの間のハンドオーバリソースプール構成情報を確定することは、
前記第１ネットワークノードは、前記第１ネットワークノードと前記第２ネットワークノードとのインターフェースを介して、前記第２ネットワークノードと協調し、前記ハンドオーバリソースプール構成情報を確定することを含み、
前記ハンドオーバリソースプールにおける前記ハンドオーバリソースの構成情報は、
物理時間周波数リソースブロックの位置情報、変調符号化方式情報、基準信号の構成情報、アンテナ構成情報のうちの少なくとも１つを含む、
請求項１に記載のハンドオーバのためのリソース構成方法。
【請求項３】
前記第１ネットワークノードは、前記ハンドオーバリソースプール構成情報を移動局に送信することは、
前記移動局が前記第１ネットワークノードのネットワークにアクセスする時に、前記ハンドオーバリソースプール構成情報を前記移動局に送信すること、又は、
前記移動局が前記第１ネットワークノードのネットワークにアクセスした後に、前記ハンドオーバリソースプール構成情報を前記移動局に送信すること、又は、
前記移動局が間もなく前記第１ネットワークノードから前記第２ネットワークノードにハンドオーバすることが確定された場合、前記ハンドオーバリソースプール構成情報を前記移動局に送信することを含む、
請求項１又は２に記載のハンドオーバのためのリソース構成方法。
【請求項４】
前記第１ネットワークノードは、前記移動局に第１指示情報を送信することは、
前記移動局が間もなく前記第１ネットワークノードから前記第２ネットワークノードにハンドオーバすることが確定された場合、前記移動局に前記第１指示情報を送信することを含み、
前記移動局に第１指示情報を送信する前に、前記ハンドオーバのためのリソース構成方法は、さらに、
前記移動局の移動軌跡に基づいて、前記移動局が間もなく前記第１ネットワークノードから前記第２ネットワークノードにハンドオーバするかどうかを判断すること、又は、
前記移動局によりフィードバックされた測定信号の強度に基づいて、前記移動局が間もなく前記第１ネットワークノードから前記第２ネットワークノードにハンドオーバするかどうかを判断すること、又は、
前記移動局の移動軌跡と移動速度に基づいて、前記移動局が間もなく前記第１ネットワークノードから前記第２ネットワークノードにハンドオーバするかどうかを判断することを含む、
請求項１〜３のいずれか１項に記載のハンドオーバのためのリソース構成方法。
【請求項５】
前記ハンドオーバリソースプール構成情報を前記移動局に送信することは、
システム情報ブロードキャストによって、前記ハンドオーバリソースプール構成情報を前記移動局に送信すること、又は、
制御シグナリングによって、前記ハンドオーバリソースプール構成情報を前記移動局に送信することを含み、
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される、
請求項１〜４のいずれか１項に記載のハンドオーバのためのリソース構成方法。
【請求項６】
前記ハンドオーバのためのリソース構成方法は、さらに、
前記移動局が前記ハンドオーバリソースを使用して送信したアップリンクデータを受信することを含み、
前記移動局が前記ハンドオーバリソースを使用して送信したアップリンクデータを受信することは、
前記第１ネットワークノードは、少なくとも１つの他のネットワークノードと協調し、前記移動局が前記ハンドオーバリソースを使用して送信した前記アップリンクデータを受信することを含む、
請求項１〜５のいずれか１項に記載のハンドオーバのためのリソース構成方法。
【請求項７】
前記第１ネットワークノードと前記少なくとも１つの他のネットワークノードとは、全く同じ又は全く異なる物理リソース構成情報を使用して、前記移動局が前記ハンドオーバリソースを使用して送信した前記アップリンクデータを受信し、
前記少なくとも１つの他のネットワークノードは、前記第２ネットワークノードを含む、
請求項６に記載のハンドオーバのためのリソース構成方法。
【請求項８】
前記移動局が前記ハンドオーバリソースを使用して送信したアップリンクデータを受信することは、
前記移動局により送信された複数の同じアップリンクデータパケットを受信し、その中の１つのアップリンクデータパケットをアップリンク受信データパケットとして確定し、該アップリンク受信データパケット内の前記アップリンクデータを取得することを含む、
請求項６〜７のいずれか１項に記載のハンドオーバのためのリソース構成方法。
【請求項９】
前記ハンドオーバのためのリソース構成方法は、さらに、
前記第１ネットワークノードは前記移動局にダウンリンクデータを送信することを含み、
前記移動局にダウンリンクデータを送信することは、
前記第１ネットワークノードは、少なくとも１つの他のネットワークノードと協調し、前記移動局に前記ダウンリンクデータを送信することを含み、
前記第１ネットワークノードと前記少なくとも１つの他のネットワークノードは、全く同じ又は全く異なる物理リソース構成情報を使用して、前記移動局に前記ダウンリンクデータを送信する、
請求項１〜８のいずれか１項に記載のハンドオーバのためのリソース構成方法。
【請求項１０】
前記第１指示情報は、前記移動局がハンドオーバリソースプールのリソースを利用して、前記第１ネットワークノード及び前記第２ネットワークノードのうちの少なくとも１つと通信するように指示するために用いられる、
請求項１〜９のいずれか１項に記載のハンドオーバのためのリソース構成方法。
【請求項１１】
ハンドオーバのためのリソース構成方法であって、
移動局は、第１ネットワークノードにより送信されたハンドオーバリソースプール構成情報を取得することと、
前記移動局は、前記第１ネットワークノードにより送信された第１指示情報を受信することと、
前記移動局は、前記第１指示情報に従って、ハンドオーバリソースを使用して前記第１ネットワークノード、第２ネットワークノード、他の移動局のうちの少なくとも１つと通信することとを含み、
前記第１指示情報が、前記移動局がハンドオーバリソースプール内のハンドオーバリソースを使用することを指示するために用いられる、前記ハンドオーバのためのリソース構成方法。
【請求項１２】
前記移動局は、第１ネットワークノードにより送信されたハンドオーバリソースプール構成情報を取得することは、
前記移動局は、前記第１ネットワークノードのネットワークにアクセスする時に、前記第１ネットワークノードにより送信された前記ハンドオーバリソースプール構成情報を受信すること、又は、
前記移動局は、前記第１ネットワークノードのネットワークにアクセスした後に、前記第１ネットワークノードにより送信された前記ハンドオーバリソースプール構成情報を受信すること、又は、
前記移動局は、間もなく前記第１ネットワークノードから前記第２ネットワークノードにハンドオーバする時に、前記第１ネットワークノードにより送信された前記ハンドオーバリソースプール構成情報を受信することを含み、
前記ハンドオーバリソースプール構成情報は、前記第１ネットワークノードによりシステム情報ブロードキャストで送信され、又は、
前記ハンドオーバリソースプール構成情報は、前記第１ネットワークノードにより制御シグナリングで送信される、
請求項１１に記載のハンドオーバのためのリソース構成方法。
【請求項１３】
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される
請求項１１〜１２のいずれか１項に記載のハンドオーバのためのリソース構成方法。
【請求項１４】
前記第１ネットワークノード、前記第２ネットワークノード、他の移動局のうちの少なくとも１つと通信することは、
前記移動局が前記ハンドオーバリソースを使用してアップリンクデータを送信して、前記第１ネットワークノード及び/又は前記第２ネットワークノードが前記アップリンクデータを受信することを含み、
前記移動局は前記ハンドオーバリソースを使用してアップリンクデータを送信することは、
前記移動局は、前記アップリンクデータが前記第１ネットワークノード及び前記第２ネットワークノードに同時に到達するように、前記ハンドオーバリソースを使用して、所定のサイクリックプレフィックス（ＣＰ）値で前記アップリンクデータを送信することを含み、
ここで、前記所定のＣＰ値が固定の閾値より大きい、
請求項１１〜１３のいずれか１項に記載のハンドオーバのためのリソース構成方法。
【請求項１５】
ネットワークノードであって、
前記ネットワークノードは、第１ネットワークノードであり、確定ユニット及び送信ユニットを含み、
前記確定ユニットは、第２ネットワークノードとの間のハンドオーバリソースプール構成情報を確定するように構成され、
前記送信ユニットは、前記確定ユニットにより確定された前記ハンドオーバリソースプール構成情報を移動局に送信するように構成され、
前記送信ユニットは、さらに、前記移動局に第１指示情報を送信するように構成され、
前記第１指示情報が、前記移動局が前記ハンドオーバリソースプール内のハンドオーバリソースを使用して通信を行うことを指示するために用いられる、前記ネットワークノード。
【請求項１６】
前記確定ユニットは、具体的に、
前記第１ネットワークノードと前記第２ネットワークノードとのインターフェースを介して、前記第２ネットワークノードと協調し、前記ハンドオーバリソースプール構成情報を確定するように構成され、
前記ハンドオーバリソースプールにおける前記ハンドオーバリソースの構成情報は、
物理時間周波数リソースブロックの位置情報、変調符号化方式情報、基準信号の構成情報、アンテナ構成情報のうちの少なくとも１つを含む、
請求項１５に記載のネットワークノード。
【請求項１７】
前記送信ユニットは、具体的に、
前記移動局が前記第１ネットワークノードのネットワークにアクセスする時に、前記ハンドオーバリソースプール構成情報を前記移動局に送信し、又は、
前記移動局が前記第１ネットワークノードのネットワークにアクセスした後に、前記ハンドオーバリソースプール構成情報を前記移動局に送信し、又は、
前記移動局が間もなく前記第１ネットワークノードから前記第２ネットワークノードにハンドオーバすることが確定された場合、前記ハンドオーバリソースプール構成情報を前記移動局に送信するように構成される
請求項１５又は１６に記載のネットワークノード。
【請求項１８】
前記送信ユニットは、具体的に、
前記移動局が間もなく前記第１ネットワークノードから前記第２ネットワークノードにハンドオーバすることが確定された場合、前記移動局に前記第１指示情報を送信するように構成され、
前記確定ユニットは、さらに、
前記移動局の移動軌跡に基づいて、前記移動局が間もなく前記第１ネットワークノードから前記第２ネットワークノードにハンドオーバするかどうかを判断し、又は、
前記移動局によりフィードバックされた測定信号の強度に基づいて、前記移動局が間もなく前記第１ネットワークノードから前記第２ネットワークノードにハンドオーバするかどうかを判断し、又は、
前記移動局の移動軌跡と移動速度に基づいて、前記移動局が間もなく前記第１ネットワークノードから前記第２ネットワークノードにハンドオーバするかどうかを判断するように構成される
請求項１５〜１７のいずれか１項に記載のネットワークノード。
【請求項１９】
前記送信ユニットは、具体的に、
システム情報ブロードキャストによって、前記ハンドオーバリソースプール構成情報を前記移動局に送信し、又は、
制御シグナリングによって、前記ハンドオーバリソースプール構成情報を前記移動局に送信するように構成され、
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される、
請求項１５〜１８のいずれか１項に記載のネットワークノード。
【請求項２０】
受信ユニットをさらに含み、
前記受信ユニットは、前記移動局が前記ハンドオーバリソースを使用して送信したアップリンクデータを受信するように構成され、
前記受信ユニットは、具体的に、
少なくとも１つの他のネットワークノードと協調し、前記移動局により前記ハンドオーバリソースで送信された前記アップリンクデータを受信するように構成される
請求項１５〜１９のいずれか１項に記載のネットワークノード。
【請求項２１】
前記受信ユニットは、具体的に、
前記第１ネットワークノードと前記少なくとも１つの他のネットワークノードは、全く同じ又は全く異なる物理リソース構成情報を使用して、前記移動局が前記ハンドオーバリソースを使用して送信した前記アップリンクデータを受信するように構成され、
前記少なくとも１つの他のネットワークノードは、前記第２ネットワークノードを含む、
請求項２０に記載のネットワークノード。
【請求項２２】
前記受信ユニットは、具体的に、
前記移動局により送信された複数の同じアップリンクデータパケットを受信し、その中の１つのアップリンクデータパケットをアップリンク受信データパケットとして確定し、該アップリンク受信データパケット内の前記アップリンクデータを取得するように構成される
請求項２０又は２１に記載のネットワークノード。
【請求項２３】
前記送信ユニットは、さらに、
前記移動局にダウンリンクデータを送信するように構成され、
前記送信ユニットは、具体的に、
少なくとも１つの他のネットワークノードと協調し、前記移動局に前記ダウンリンクデータを送信するように構成され、
前記送信ユニットは、具体的に、
前記第１ネットワークノードと前記少なくとも１つの他のネットワークノードに全く同じ又は全く異なる物理リソース構成情報を使用して、前記移動局に前記ダウンリンクデータを送信するように構成される、
請求項１５〜２２のいずれか１項に記載のネットワークノード。
【請求項２４】
前記第１指示情報は、前記移動局がハンドオーバリソースプールのリソースを利用して、前記第１ネットワークノード及び前記第２ネットワークノードのうちの少なくとも１つと通信するように指示するために用いられる、
請求項１５〜２３のいずれか１項に記載のハンドオーバのためのネットワークノード。
【請求項２５】
移動局であって、
第１ネットワークノードにより送信されたハンドオーバリソースプール構成情報を取得するように構成される取得ユニットと、
前記第１ネットワークノードにより送信された第１指示情報を受信するように構成される受信ユニットと、
前記受信ユニットにより受信された前記第１指示情報に従って、ハンドオーバリソースを使用して、前記第１ネットワークノード、第２ネットワークノード、他の移動局のうちの少なくとも１つと通信するように構成される通信ユニットとを含み、
前記第１指示情報が、前記移動局が前記取得ユニットにより取得されたハンドオーバリソースプール内のハンドオーバリソースを使用することを指示するために用いられる、前記移動局。
【請求項２６】
前記取得ユニットは、第１受信サブユニットを含み、
前記第１受信サブユニットは、
前記移動局が前記第１ネットワークノードのネットワークにアクセスする時に、前記第１ネットワークノードにより送信された前記ハンドオーバリソースプール構成情報を受信し、又は、
前記移動局が前記第１ネットワークノード的ネットワークにアクセスした後に、前記第１ネットワークノードにより送信された前記ハンドオーバリソースプール構成情報を受信し、又は、
前記移動局が間もなく前記第１ネットワークノードから前記第２ネットワークノードにハンドオーバする時に、前記第１ネットワークノードにより送信された前記ハンドオーバリソースプール構成情報を受信するように構成され、
前記ハンドオーバリソースプール構成情報は、前記第１ネットワークノードがシステム情報ブロードキャストによって送信され、
又は、
前記ハンドオーバリソースプール構成情報は、前記第１ネットワークノードが制御シグナリングによって送信される
請求項２５に記載の移動局。
【請求項２７】
前記第１指示情報は、物理層制御シグナリングのリザーブ情報ビットによって示され、又は、
前記第１指示情報は、割り当てた新しい無線ネットワーク一時識別子（ＲＮＴＩ）によって示され、又は、
前記第１指示情報は、新しい物理層制御シグナリングフォーマットによって示される
請求項２５〜２６のいずれか１項に記載の移動局。
【請求項２８】
前記通信ユニットは、送信サブユニットを含み、
前記送信サブユニットは、
前記第１ネットワークノード及び／又は前記第２ネットワークノードが前記アップリンクデータを受信するように、前記ハンドオーバリソースを使用してアップリンクデータを送信するように構成され、
前記送信サブユニットは、具体的に、
前記アップリンクデータが前記第１ネットワークノード及び前記第２ネットワークノードに同時に到達するように、前記ハンドオーバリソースを使用して所定のサイクリックプレフィックス（ＣＰ）値で前記アップリンクデータを送信するように構成され、
ここで、前記所定のＣＰ値は固定の閾値より大きい
請求項２５〜２７のいずれか１項に記載の移動局。